(57)【要約】【課題】内部に回線切換機能を備え、回線切換器を別途用意する必要が無くコストの低下を図ることができる光受信機を提供する。【解決手段】メイン及びサブの２系統の光ファイバケーブル１２ａ、１２ｂにそれぞれ光受信機１３ａ、１３ｂを接続する。光受信機１３ａ、１３ｂは、拡張端子３０ａ、３０ｂを備えると共に内部に回線切換機能を備えている。制御ケーブル４１により、光受信機１３ａにおける拡張端子３０ａの制御信号出力端子３３ａを光受信機１３ｂにおける拡張端子３０ｂのＭ／Ｓ設定端子３１ｂに接続し、光受信機１３ｂにおける拡張端子３０ｂの制御信号出力端子３３ｂを光受信機１３ａにおける拡張端子３０ａの制御信号入力端子３２ａに接続する。これにより光受信機１３ａがメインの機器、光受信機１３ｂがサブの機器として動作する。【選択図】図２
2011044875.tif 000002
【特許請求の範囲】
【請求項１】
光入力信号を電気信号に変換する光電変換素子と、前記光電変換素子により変換された電気信号により前記光入力信号が正常状態であるか異常状態であるかを検知する検知手段と、前記検知手段により検知された状態が正常か異常かを他の機器へ通知する制御出力端子と、他の機器で検知された光入力信号が正常状態であるか異常状態であるかを通知する信号を入力する制御入力端子及び自機をメインの機器もしくサブの機器に設定する信号を入力する入力端子と、前記自機をメインの機器もしくサブの機器に設定する信号を入力する入力端子の信号入力により自機をメインもしくはサブの機器に設定する制御手段とを具備し、
前記制御手段は、
自機をメインの機器に設定した場合、前記検知手段による検知出力が正常状態のものであれば高周波信号を出力し、前記検知手段による検知出力が異常状態のものであれば高周波信号の出力を停止し、
自機をサブの機器に設定した場合、他の機器からの制御信号が正常状態のものであれば高周波信号の出力を停止し、他の機器からの制御信号が異常のものであるとき前記検知手段による検知出力が正常であれば高周波信号を出力することを特徴とする光受信機。
【請求項２】
メイン回線及びサブ回線の２系統の光伝送路に前記請求項１に係る光受信機をそれぞれ接続し、前記各光受信機の出力信号を混合器を介して館内共聴配線へ出力することを特徴とする回線二重化光受信機システム。
【発明の詳細な説明】
【技術分野】
【０００１】
本発明は、例えばＣＡＴＶシステムにおいて、ヘッドエンド装置から光ファイバケーブルにより送られてくる光信号をホテルや大規模マンション等において共聴システムにより受信する光受信機及び光受信機システムに関する。
【背景技術】
【０００２】
近年、ＣＡＴＶシステムでは、アナログＴＶ放送や衛星放送の他に地上波デジタルＴＶ放送の伝送、更にはインターネットなどの情報伝送を行うようになり、大容量で且つ高速の伝送を必要とするため、通信速度の速い光ファイバケーブルを使用して信号の伝送を行っている（例えば、特許文献１参照。）。
【０００３】
上記のように光伝送を行うＣＡＴＶシステムにおいて、ヘッドエンド装置から光ファイバケーブルにより送られてくる光信号を、例えばホテルや病院などにおいて共聴システムにより受信する場合、図５及び図６に示すように予期せぬ光伝送路の断線事故や光伝送機器の故障に備えて２系統の光伝送路を用意する場合がある。
【０００４】
図５に示す例では、ホテルや病院などにおける共聴システム１において、２系統の光伝送路、即ちメイン回線光ファイバケーブル２ａ及びサブ回線光ファイバケーブル２ｂにメイン及びサブの光受信機３ａ、３ｂを接続して光信号を受信し、該光受信機３ａ、３ｂにより電気信号に変換されたテレビ信号を切換器４により切換えて館内共聴配線５に送出するように構成している。上記切換器４は、光受信機３ａ、３ｂから出力されるテレビ信号のレベルをチェックし、通常時はメインの光受信機３ａから出力されるテレビ信号を選択して館内共聴配線５に送出し、メイン回線光ファイバケーブル２ａあるいは光受信機３ａの故障等により該光受信機３ａの出力信号のレベルが規定値より低下した場合にサブの光受信機３ｂ側に切換えるように動作する。
【０００５】
また、図６に示す例では、ホテルや病院などにおける共聴システム１において、メイン回線及びサブ回線の光ファイバケーブル２ａ、２ｂを光回線切換器７により切換えて１系統の光受信機３に入力し、該光受信機３から出力されるテレビ信号を館内共聴配線５へ送出するように構成している。上記光回線切換器７は、メイン回線及びサブ回線の光ファイバケーブル２ａ、２ｂからの光入力レベルを検知し、通常時はメイン回線光ファイバケーブル２ａからの光信号を選択して光受信機３に入力し、メイン回線光ファイバケーブル２ａの故障等により光入力レベルが規定値より低下すると、サブ回線光ファイバケーブル２ｂからの光信号を選択して光受信機３に入力する。そして、この光受信機３にて電気信号に変換されたテレビ信号を館内共聴配線５へ出力する。
【先行技術文献】
【特許文献】
【０００６】
【特許文献１】特開２００６−２６２３５３号公報
【発明の概要】
【発明が解決しようとする課題】
【０００７】
上記のようにホテルや病院などにおける共聴システム１において、２系統の光伝送路を設けることにより、予期せぬ光伝送路の断線事故や光伝送機器の故障に備えることができる。
【０００８】
しかし、上記図５に示した方法では光受信機３ａ、３ｂから出力されるテレビ信号を切換えて館内共聴配線５に送出する切換器４を必要とし、また、図６に示した方法では、光ファイバケーブル２ａ、２ｂを切換えて１系統の光受信機３に入力する光回線切換器７を必要としている。
【０００９】
上記のように従来の方法では、何れの場合も高価な回線切換器を別途用意する必要があり、コスト高になるという問題がある。
【００１０】
本発明は上記の課題を解決するためになされたもので、回線切換器を別途用意することなく、制御ケーブルと共聴システムで使用される一般的な混合器を用意するだけで容易に回線に冗長性のある二重化システムを構成し得る光受信機及び光受信機システムを提供することを目的とする。
【課題を解決するための手段】
【００１１】
第１の発明に係る光受信機は、光入力信号を電気信号に変換する光電変換素子と、前記光電変換素子により変換された電気信号により前記光入力信号が正常状態であるか異常状態であるかを検知する検知手段と、前記検知手段により検知された状態が正常か異常かを他の機器へ通知する制御出力端子と、他の機器で検知された光入力信号が正常状態であるか異常状態であるかを通知する信号を入力する制御入力端子及び自機をメインの機器もしくサブの機器に設定する信号を入力する入力端子と、前記自機をメインの機器もしくサブの機器に設定する信号を入力する入力端子の信号入力により自機をメインもしくはサブの機器に設定する制御手段とを具備し、
前記制御手段は、
自機をメインの機器に設定した場合、前記検知手段による検知出力が正常状態のものであれば高周波信号を出力し、前記検知手段による検知出力が異常状態のものであれば高周波信号の出力を停止し、
自機をサブの機器に設定した場合、他の機器からの制御信号が正常状態のものであれば高周波信号の出力を停止し、他の機器からの制御信号が異常のものであるとき前記検知手段による検知出力が正常であれば高周波信号を出力することを特徴とする。
【００１２】
第２の発明に係る回線二重化光受信機システムは、メイン回線及びサブ回線の２系統の光伝送路に前記第１の発明に係る光受信機をそれぞれ接続し、前記各光受信機の出力信号を混合器を介して館内共聴配線へ出力することを特徴とする。
【発明の効果】
【００１３】
本発明によれば、光受信機の内部に出力切換機能を備えており、機器間を制御ケーブルにより接続することで一方の機器をメインの機器、他方の機器をサブの機器として動作させることができる。このため高価な切換回路を別個に設ける必要が無く、制御ケーブルと共聴システムで使用される一般的な混合器を用意するだけで容易に回線に冗長性のある二重化システムを構成することができる。
【図面の簡単な説明】
【００１４】
【図１】本発明の実施例１に係る共聴システムの概略構成を示すブロック図である。
【図２】同実施例１における光受信機の構成を示すブロック図である。
【図３】同実施例１における光受信機の主要部の詳細な構成を示す図である。
【図４】同実施例１におけるメインの機器及びサブの機器の動作条件を示す図である。
【図５】従来の２系統の光伝送路を備えた共聴システムの構成例を示すブロック図である。
【図６】従来の２系統の光伝送路を備えた共聴システムの他の構成例を示すブロック図である。
【発明を実施するための形態】
【００１５】
以下、本発明の実施の形態について図面を参照して詳細に説明する。
【実施例１】
【００１６】
図１は本発明の実施例１に係る共聴システムの概略構成を示すブロック図である。
【００１７】
図１において、１１は例えばホテルや大規模マンションあるいは病院などにおける共聴システムで、２系統の光伝送路、即ちメイン回線光ファイバケーブル１２ａとサブ回線光ファイバケーブル１２ｂを備えている。上記メイン回線光ファイバケーブル１２ａ及びサブ回線光ファイバケーブル１２ｂは、ヘッドエンド装置（図示せず）から送出される光信号を伝送する。上記メイン回線光ファイバケーブル１２ａにはメイン回線用光受信機１３ａが接続され、サブ回線光ファイバケーブル１２ｂにはサブ回線用光受信機１３ｂが接続される。上記光受信機１３ａ、１３ｂは、詳細を後述するように内部に回線切換機能を備えており、通常時はメイン回線用光受信機１３ａからＲＦ信号（テレビ信号）が出力され、メイン回線光ファイバケーブル１２ａが故障し、光信号レベルが規定値より低下した場合にメイン回線用光受信機１３ａの出力がオフされ、サブ回線用光受信機１３ｂからＲＦ信号が出力される。上記光受信機１３ａ、１３ｂの出力切換は自動的に行われ、その出力信号は混合器１４を介して館内共聴配線１５へ送られる。
【００１８】
上記光受信機１３ａ、１３ｂは、図２に示すように構成される。
【００１９】
メイン回線用光受信機１３ａは、光電変換素子２１ａ、ＲＦ（高周波）スイッチ２２ａ、増幅回路２３−１ａ、２３−２ａ、ＲＦ出力端子２４ａ、制御部２５ａ、増幅回路電源スイッチ２６ａ、パワーランプ２８ａ、拡張端子３０ａにより構成される。
【００２０】
光電変換素子２１ａは、メイン回線光ファイバケーブル１２ａにより送られてくる光信号を電気信号に変換し、ＲＦスイッチ２２ａを介して増幅回路２３−１ａ、２３−２ａへ出力する。増幅回路２３−１ａ、２３−２ａは、ＲＦスイッチ２２ａを介して入力される電気信号を増幅し、ＲＦ出力端子２４ａから出力する。このＲＦ出力端子２４ａから出力される電気信号（テレビ信号）は、図１に示した混合器１４へ送られる。
【００２１】
上記制御部２５ａは、光電変換素子２１ａにより変換された電気信号のレベルが正常か否かをチェックし、そのチェック結果とサブ回線用光受信機１３ｂのステータス信号に応じてＲＦスイッチ２２ａ、増幅回路電源スイッチ２６ａをオン／オフ制御する。拡張端子３０ａは、自機をメインの機器もしくサブの機器に設定するＭ／Ｓ設定端子３１ａ、制御信号入力端子３２ａ、制御信号出力端子３３ａ、共通アース端子３４ａを備えている。
【００２２】
一方、サブ回線用光受信機１３ｂは、メイン回線用光受信機１３ａと全く同一の構成で、光電変換素子２１ｂ、ＲＦスイッチ２２ｂ、増幅回路２３-１ｂ、２３-２ｂ、ＲＦ出力端子２４ｂ、制御部２５ｂ、増幅回路電源スイッチ２６ｂ、パワーランプ２８ｂ、拡張端子３０ｂにより構成される。以下説明の都合上、制御部２５ａ、制御部２５ｂ、拡張端子３０ａ、拡張端子３０ｂ、…のようにメイン回線用光受信機１３ａの構成要素とサブ回線用光受信機１３ｂの他の構成要素についてもａ、ｂの添え字をつけて区別しているが、当該機器の構成に実質的な違いはなく、全く同一のものである。すなわち以下の説明におけるメイン回線用光受信機１３ａとサブ回線用光受信機１３ｂは単体の装置としては全く同一の構成要素により構成された同一の機器である。
【００２３】
次に上記光受信機１３ａにおける制御部２５ａの詳細な構成について図３を参照して説明する。
【００２４】
メイン回線光ファイバケーブル１２ａが接続されたメイン回線用光受信機１３ａは、光電変換素子２１ａとして例えばフォトダイオードが使用され、カソード側に所定の動作電圧（逆電圧）ＶＲ  が供給され、アノード側は抵抗Ｒ１  を介して接地される。光電変換素子２１ａには、メイン回線光ファイバケーブル１２ａにより伝送されてきた光信号の入力量に応じた電流が発生し、この電流が抵抗Ｒ１  に流れることによって光入力電圧ＶＩＮが生じる。この光入力電圧ＶＩＮは、インダクタＬによって高周波成分と分離され、制御部２５ａのコンパレータ５１ａの（＋）端子に入力される。このコンパレータ５１ａの（−）端子には下限閾値ＶＬＯＷが入力される。なお、上記抵抗Ｒ１  の両端に生じる高周波成分（ＲＦ信号）は、コンデンサＣを介して取り出され、図２に示したＲＦスイッチ２２ａを介して増幅回路２３−１ａに入力される。
【００２５】
上記コンパレータ５１ａは、光入力が正常レベル、すなわち
（光入力電圧ＶＩＮ）＞（下限閾値ＶＬＯＷ）
のとき、出力が「ＨＩＧＨ」レベルとなり
逆に光入力が不足時、すなわち
（光入力電圧ＶＩＮ）＜（下限閾値ＶＬＯＷ）
のとき、出力が「ＬＯＷ」レベルとなる。
【００２６】
上記コンパレータ５１ａの出力電圧ＶＯＵＴは、論理回路５２ａの一方の入力端子に入力されると共にＮＰＮ型のトランジスタ５３ａのベースに入力される。トランジスタ５３ａのエミッタは接地され、コレクタは制御信号出力端子３３ａに接続されている。
【００２７】
上記論理回路５２ａの他方の入力はプルアップ抵抗Ｒ２  により、電源電圧電位（Ｖｃｃ）にプルアップされた状態で、制御信号入力端子３２ａに接続されている。当該論理回路５２ａは、入力双方が「ＬＯＷ」レベルのときだけ出力が「ＬＯＷ」レベルとなり、それ以外の条件では出力が「ＨＩＧＨ」レベルとなる。上記論理回路５２ａの出力は、スイッチ駆動回路５４ａの入力端子に接続されると共にＭ／Ｓ設定端子３１ａに接続される。スイッチ駆動回路５４ａは、入力信号に応じてＲＦスイッチ２２ａ、増幅回路電源スイッチ２６ａをオン／オフ制御するもので、該入力信号が「ＨＩＧＨ」レベルのときは各スイッチ２２ａ、２６ａをオンし、入力信号が「ＬＯＷ」レベルのときは各スイッチ２２ａ、２６ａをオフにする。
【００２８】
一方、サブ回線用光受信機１３ｂの制御部２５ｂも、上記メイン回線用光受信機１３ａの制御部２５ａと同様の構成となっており動作も同様であるので説明を省略する。
【００２９】
上記メイン回線用光受信機１３ａの拡張端子３０ａとサブ回線用光受信機１３ｂの拡張端子３０ｂとの間は図２に示したように制御ケーブル４１により接続され、その接続の仕方によって一方をメイン回線用光受信機、他方をサブ回線用光受信機として動作させることができる。
【００３０】
光受信機１３ａをメイン回線用とし、光受信機１３ｂをサブ回線用とする場合には、制御ケーブル４１により、光受信機１３ａの制御信号出力端子３３ａを光受信機１３ｂのＭ／Ｓ設定端子３１ｂに接続すると共に、光受信機１３ｂの制御信号出力端子３３ｂを光受信機１３ａの制御信号入力端子３２ａに接続する。また、光受信機１３ａの共通アース端子３４ａと光受信機１３ｂの共通アース端子３４ｂ間を相互に接続する。
【００３１】
上記のように接続することで、光受信機１３ａの制御部２５ａは自機をメインの機器に設定し、一方光受信機１３ｂの制御部２５ｂは自機をサブの機器に設定する。
【００３２】
次に光受信機１３ａ、１３ｂを上記のように構成することにより回線に冗長性のある二重化システムが構成されることを説明する。
【００３３】
≪ケース１：メイン回線用光ファイバケーブルが正常の場合≫
メイン回線光ファイバケーブル１２ａが正常の場合、コンパレータ５１ａの入力が
（光入力電圧ＶＩＮ）＞（下限閾値ＶＬＯＷ）
となり、コンパレータ５１ａから「ＨＩＧＨ」レベルの信号が出力されて該信号は論理回路５２ａの一方の入力端子及びトランジスタ５３ａのベースに供給される。論理回路５２ａは、コンパレータ５１ａの出力が「ＨＩＧＨ」レベルの際、出力信号が「ＨＩＧＨ」レベルとなり、当該レベルの信号がスイッチ駆動回路５４ａの入力端子に供給される。これによりスイッチ駆動回路５４ａは、ＲＦスイッチ２２ａ、増幅回路電源スイッチ２６ａをオンとする。
【００３４】
ＲＦスイッチ２２ａがオンすることにより、光電変換素子２１ａで電気信号に変換されたテレビ信号が増幅回路２３−１ａ、２３−２ａに入力される。また、増幅回路電源スイッチ２６ａがオンすることにより、増幅回路２３−１ａ、２３−２ａに動作電源が供給される。従って、光電変換素子２１ａで電気信号に変換されたテレビ信号は、増幅回路２３−１ａ、２３−２ａで増幅された後、ＲＦ出力端子２４ａから出力され、混合器１４を介して館内共聴配線１５へ送られる。また、パワーランプ２８ａが点灯し、メイン回線用光受信機１３ａが動作中であることが表示される。
【００３５】
一方、上記コンパレータ５１ａから「ＨＩＧＨ」レベルの信号が出力されるとトランジスタ５３ａがオン動作し、制御信号出力端子３３ａはアースに対して短絡状態となる。この制御信号出力端子３３ａは、制御ケーブル４１を介してサブ回線用光受信機１３ｂ側のＭ／Ｓ設定端子３１ｂに接続されているので、このＭ／Ｓ設定端子３１ｂをアース電位、すなわち「ＬＯＷ」レベルに保持する。
【００３６】
上記Ｍ／Ｓ設定端子３１ｂが「ＬＯＷ」レベルであると、サブ回線用光受信機１３ｂ側のスイッチ駆動回路５４ｂの入力は「ＬＯＷ」レベルにプルダウンされて、サブ回線用光受信機１３ｂのＲＦスイッチ２２ｂ、増幅回路電源スイッチ２６ｂをオフする。ＲＦスイッチ２２ｂがオフすることにより増幅回路２３−１ｂ、２３−２ｂの信号の入力が遮断されると共に、増幅回路電源スイッチ２６ｂがオフするので増幅回路２３−１ｂ、２３−２ｂの動作電源が遮断される。この結果、サブ回線用光ファイバケーブルの正常、異常に係らずサブ回線用光受信機１３ｂは非動作状態となる。このときサブ回線用光受信機１３ｂのパワーランプ２８ｂは消灯し、サブ回線用光受信機１３ｂが非動作であることを表示する。
【００３７】
≪ケース２：メイン回線用光ファイバケーブルが正常で、サブ回線用光ファイバケーブルも正常な場合≫
サブ回線用光受信機１３ｂの制御部２５ｂは、サブ回線光ファイバケーブル１２ｂが正常動作ならば、コンパレータ５１ｂの入力が
（光入力電圧ＶＩＮ）＞（下限閾値ＶＬＯＷ）
となり、コンパレータ５１ｂから「ＨＩＧＨ」レベルの信号が出力されて論理回路５２ｂの一方の入力端子及びトランジスタ５３ｂのベースに供給されるが、この場合、上記したようにＭ／Ｓ設定端子３１ｂが、メイン回線用光受信機１３ａにおける制御信号出力端子３３ａと接続されており、該制御信号出力端子３３ａはメイン回線光ケーブルが正常な場合、上記ケース１で説明したように、アースと短絡状態である結果、スイッチ駆動回路５４ｂの入力は「ＬＯＷ」レベルに強制的にプルダウンされ、当該論理回路５２ｂの論理出力状態に関係なくＲＦスイッチ２２ｂ、増幅回路電源スイッチ２６ｂをオフ状態に保持する。結果としてサブ回線用光受信機１３ｂは非動作状態に保持され、メイン回線用光受信機１３ａの出力が混合器１４を介して館内共聴配線１５へ送られる。
【００３８】
また、サブ回線光ファイバケーブルが正常な場合、制御部２５ｂのトランジスタ５３ｂは、コンパレータ５１ｂの出力信号が「ＨＩＧＨ」レベルになるのでベース電流が流れてオン状態となり、制御信号出力端子３３ｂとアース間とが短絡状態となる結果、制御信号出力端子３３ｂは「ＬＯＷ」レベルに保持される。この制御信号出力端子３３ｂは、制御ケーブル４１を介してメイン回線用光受信機１３ａ側の制御部２５ａの制御信号入力端子３２ａに接続されているので、制御信号入力端子３２ａも「ＬＯＷ」レベルに保持される。
【００３９】
≪ケース３：メイン回線用光ファイバケーブルが異常で、サブ回線用光ファイバケーブルが正常な場合≫
メイン回線用光受信機１３ａの制御部２５ａは、コンパレータ５１ａにより光入力電圧ＶＩＮを常に監視しており、メイン回線光ファイバケーブル１２ａの断線等によりコンパレータ５１ａの入力が
（光入力電圧ＶＩＮ）＜（下限閾値ＶＬＯＷ）
になると、コンパレータ５１ａから「ＬＯＷ」レベルの信号を出力する。このコンパレータ５１ａの出力信号は、論理回路５２ａの一方の入力端子及びトランジスタ５３ａのベースに供給される。このとき論理回路５２ａの他方の入力端子には、制御信号入力端子３２ａが接続され、サブ回線光ファイバケーブルが正常な場合、上記したように当該入力端子には「ＬＯＷ」レベルに保持されているので、その結果、論理回路５２ａの出力が「ＬＯＷ」レベルとなる。一方、Ｍ／Ｓ設定端子３１ａには何も接続がなく開放状態なので、サブの機器とは異なり論理回路５２ａの「ＬＯＷ」レベルの出力信号はそのままスイッチ駆動回路５４ａに供給される。スイッチ駆動回路５４ａは、該入力信号が「ＬＯＷ」レベルになると、ＲＦスイッチ２２ａ、増幅回路電源スイッチ２６ａをオフに切換える。この結果、メイン回線用光受信機１３ａは、増幅回路２３−１ａ、２３−２ａの信号入力及び動作電源が遮断されて非動作状態となる。また、増幅回路電源スイッチ２６ａがオフされることにより、パワーランプ２８ａが消灯し、メイン回線用光受信機１３ａが非動作であることを表示する。
【００４０】
上記メイン回線用光受信機１３ａの制御部２５ａは、コンパレータ５１ａの出力が「ＬＯＷ」レベルになると、トランジスタ５３ａで構成されるトランジスタスイッチ回路がオフ状態となり、制御信号出力端子３３ａがアースに対して短絡状態から開放状態になる。この結果、サブ回線用光受信機１３ｂにおける拡張端子３０ｂのＭ／Ｓ設定端子３１ｂもアースに対して開放状態になる。サブ回線用光受信機１３ｂの制御部２５ｂにおいて、論理回路５２ｂの一方の入力端子は制御信号入力端子３２ｂに接続されているが、当該制御信号入力端子３２ｂには何も接続がないため当該入力端子に接続されたプルアップ抵抗Ｒ２  により電源電圧電位（Ｖｃｃ）すなわち「ＨＩＧＨ」レベルに定常的に固定されている。結果として論理回路５２ｂの出力は定常的に「ＨＩＧＨ」レベルを出力する。
【００４１】
サブ回線用光受信機１３ｂにおいては、メイン回線光ファイバケーブル１２ａに異常がある場合、上記したようにＭ／Ｓ設定端子３１ｂがアースとの短絡状態から開放されるため、論理回路５２ｂの論理出力である上記「ＨＩＧＨ」レベルがそのままスイッチ駆動回路５４ｂの入力信号となる。これにより光受信機１３ｂのスイッチ駆動回路５４ｂは、ＲＦスイッチ２２ｂ、増幅回路電源スイッチ２６ｂをオンする。
【００４２】
この結果、メイン回線用光受信機１３ａに替わってサブ回線用光受信機１３ｂが動作状態となり、サブ回線用光受信機１３ｂのＲＦ出力端子２４ｂから混合器１４を介して館内共聴配線１５へテレビ信号が出力される。また、上記増幅回路電源スイッチ２６ｂがオンすることにより、パワーランプ２８ｂが点灯してサブ回線用光受信機１３ｂが動作状態になったことを表示する。
【００４３】
上記のように光受信機１３ａ、１３ｂに設けた拡張端子３０ａ、３０ｂ間を制御ケーブル４１にて接続することにより、一方をメイン回線用光受信機、他方をサブ回線用光受信機として回線に冗長性のある二重化システムの機器として動作させることができる。
【００４４】
図４は、上記動作説明の結果について、メインの機器（メイン回線用光受信機１３ａ）及びサブの機器（サブ回線用光受信機１３ｂ）の動作条件、すなわち、光伝送路の状態とメインの機器及びサブの機器のＲＦ（高周波信号）出力状態との関係をまとめて示したものである。但し、説明が煩雑になるので、一部の条件については動作の説明を省略している。
【００４５】
なお、以上説明した実施例においては、ＲＦスイッチ２２を増幅回路２３−１、２３−２の入力側に設けたが、出力側に設けても略同様の効果が得られる。また本実施例におけるＲＦスイッチ２２はＰＩＮダイオード等で構成された電子的スイッチ回路を想定しているが、高周波リレーなどの機械的接点のものを使用することは勿論可能である。当該ＲＦスイッチとしては単純なＯＮ／ＯＦＦタイプでなく、ＯＦＦ時には出力側が適切なインピーダンスで終端されるようなものを使用することが望ましい。
【００４６】
上記実施例で示したように光受信機１３ａ、１３ｂは、内部に回線切換機能を備えており、機器間を制御ケーブル４１により接続することで一方の機器をメインの機器、他方の機器をサブの機器として動作させることができる。このため高価な回線切換器を別個に設ける必要が無く、制御ケーブル４１と共聴システムで使用される一般的な混合器１４を用意するだけで容易に回線に冗長性のある二重化システムを構成することができる。
【００４７】
また、光受信機１３ａ、１３ｂは、拡張端子３０ａ、３０ｂに何も接続しない単独状態ではＲＦ出力はＯＮ状態となり単独の独立した光受信機として動作する。すなわち本発明による光受信機は、機器の管理においてメインの機器、サブの機器あるは単独使用の機器の区別を必要としないので製品としての機器の在庫管理などを簡素化することができる。
【００４８】
なお、本発明は、上記実施の形態そのままに限定されるものではなく、実施段階ではその要旨を逸脱しない範囲で構成要素を変形して具体化できるものである。
【符号の説明】
【００４９】
１１…共聴システム、１２ａ…メイン回線光ファイバケーブル、１２ｂ…サブ回線光ファイバケーブル、１３ａ…メイン回線用光受信機、１３ｂ…サブ回線用光受信機、１４…混合器、１５…館内共聴配線、２１ａ、２１ｂ…光電変換素子、２２ａ、２２ｂ…ＲＦスイッチ、２３−１ａ、２３−２ａ、２３−１ｂ、２３−２ｂ…増幅回路、２４ａ、２４ｂ…ＲＦ出力端子、２５ａ…メイン回線用光受信機の制御部、２５ｂ…サブ回線用光受信機の制御部、２６ａ、２６ｂ…増幅回路電源スイッチ、２８ａ、２８ｂ…パワーランプ、３０ａ…メイン回線用光受信機の拡張端子、３０ｂ…サブ回線用光受信機の拡張端子、３１ａ、３１ｂ…Ｍ／Ｓ設定端子、３２ａ、３２ｂ…制御信号入力端子、３３ａ、３３ｂ…制御信号出力端子、３４ａ、３４ｂ…共通アース端子、４１…制御ケーブル、５１ａ、５１ｂ…コンパレータ、５２ａ、５２ｂ…論理回路、５３ａ、５３ｂ…トランジスタ、５４ａ、５４ｂ…スイッチ駆動回路。
【図１】
2011044875.tif 000003
【図２】
2011044875.tif 000004
【図３】
2011044875.tif 000005
【図４】
2011044875.tif 000006
【図５】
2011044875.tif 000007
【図６】
2011044875.tif 000008